(57)【要約】【課題】二酸化塩素を発生させることができると共に、使用期間の終了を色変化により知らせることのできる二酸化塩素発生剤収納体を提供する。【解決手段】内部に二酸化塩素発生剤２が密封状態に収容された第１収容体１１と、使用終了時期報知用の第１着色部材２１が内部に密封状態に収容された第２収容体１２と、を含む構成とする。【選択図】図１
2018035016.tif 000002
【特許請求の範囲】
【請求項１】
内部に二酸化塩素発生剤が密封状態に収容された第１収容体と、
使用終了時期報知用の第１着色部材が内部に密封状態に収容された第２収容体と、を含むことを特徴とする二酸化塩素発生剤収納体。
【請求項２】
前記第１収容体の縁部と前記第２収容体の縁部が連接されており、前記第１収容体の内部空間と前記第２収容体の内部空間が互いに独立した状態にある請求項１に記載の二酸化塩素発生剤収納体。
【請求項３】
二酸化塩素の初期発生検知用の第２着色部材が前記第２収容体内に密封状態に収容されている請求項１または２に記載の二酸化塩素発生剤収納体。
【請求項４】
二酸化塩素の異常発生検知用の第３着色部材が前記第２収容体内に密封状態に収容されている請求項１〜３のいずれか１項に記載の二酸化塩素発生剤収納体。
【発明の詳細な説明】
【技術分野】
【０００１】
本発明は、除菌、ウイルスの不活化等に効果があることが知られている二酸化塩素を発生させることができると共に、着色部材の色変化により使用者に対して使用終了時期を知らせることのできる二酸化塩素発生剤収納体に関する。
【背景技術】
【０００２】
二酸化塩素は、除菌、ウイルスの不活化等に効果があることが知られており、このような二酸化塩素は、例えば、亜塩素酸ナトリウムに対して使用時に酸性化剤を添加することにより発生させることができる（特許文献１参照）。前記酸性化剤としては、疎水性ワックスにより分散処理された酸性物質及びゲル化剤を用いることが提案されている（特許文献１参照）。
【０００３】
また、亜塩素酸塩固体と乾燥剤を主剤とし、酸性水を活性化剤とする二酸化塩素発生剤も知られている（特許文献２参照）。
【先行技術文献】
【特許文献】
【０００４】
【特許文献１】特開２０１３−１７７２８２号公報
【特許文献２】特開２０１２−３６０７２号公報
【発明の概要】
【発明が解決しようとする課題】
【０００５】
ところで、二酸化塩素の発生を続けることで亜塩素酸ナトリウムの残量が少なくなってくると、当然に二酸化塩素の発生量も低下してくるので、このような時期を迎えると、新たな二酸化塩素発生剤に交換して使用することになる。このような交換時期の目安は、使用説明書等に記載があって、使用者はこのような交換時期の目安に関する情報に基づいて交換時期を決めているのが実状である。
【０００６】
しかし、このように使用説明書等に交換時期の目安に関する情報が記載されていても、使用者が使用開始時期を例えばメモしておく等して明確に把握できていないと、適切な交換時期を知ることができない。例えば使用開始時期に関して何となく記憶していた不確かな記憶情報に基づいて交換を行った場合、まだ十分に使用を継続できる状態にあるのに早い時期に交換してしまったり、或いは、既に適切な交換時期をはるかに超えていて二酸化塩素が殆ど発生していないのにそのまま使用を継続していた、というような事態を生じることも多かった。
【０００７】
適切な交換時期（使用の終了時期）を知らせる手段があれば、上記事態が生じることを防止することができる。
【０００８】
本発明は、かかる技術的背景に鑑みてなされたものであって、二酸化塩素を発生させることができると共に、使用期間の終了を色変化により知らせることのできる二酸化塩素発生剤収納体を提供することを目的とする。
【課題を解決するための手段】
【０００９】
前記目的を達成するために、本発明は以下の手段を提供する。
【００１０】
［１］内部に二酸化塩素発生剤が密封状態に収容された第１収容体と、
使用終了時期報知用の第１着色部材が内部に密封状態に収容された第２収容体と、を含むことを特徴とする二酸化塩素発生剤収納体。
【００１１】
［２］前記第１収容体の縁部と前記第２収容体の縁部が連接されており、前記第１収容体の内部空間と前記第２収容体の内部空間が互いに独立した状態にある前項１に記載の二酸化塩素発生剤収納体。
【００１２】
［３］二酸化塩素の初期発生検知用の第２着色部材が前記第２収容体内に密封状態に収容されている前項１または２に記載の二酸化塩素発生剤収納体。
【００１３】
［４］二酸化塩素の異常発生検知用の第３着色部材が前記第２収容体内に密封状態に収容されている前項１〜３のいずれか１項に記載の二酸化塩素発生剤収納体。
【発明の効果】
【００１４】
［１］の発明では、二酸化塩素を発生させることができると共に、使用の終了時期を第１着色部材の色変化により使用者に知らせることができる。
【００１５】
［２］の発明では、第１収容体と第２収容体とが連接された構成であるので、携行ケース等に装填する際の作業性を向上できる。
【００１６】
［３］の発明では、二酸化塩素の初期発生検知用の第２着色部材が第２収容体内に収容されているので、使用の開始により二酸化塩素が発生し始めると、第２着色部材が色変化するので、使用者は、この第２着色部材の色変化を視認することにより、二酸化塩素の発生が始まったことを確認できる。
【００１７】
［４］の発明では、二酸化塩素の異常発生検知用の第３着色部材が第２収容体内に収容されているので、仮に二酸化塩素が一度に多量に発生するような事態が生じた場合には、第３着色部材が色変化するので、使用者はこの第３着色部材の色変化を視認することにより、二酸化塩素の異常発生を知ることができる。
【図面の簡単な説明】
【００１８】
【図１】本発明に係る二酸化塩素発生剤収納体の一実施形態を示す模式的平面図である。
【図２】本発明に係る二酸化塩素発生剤収納体の他の実施形態を示す模式的平面図である。
【図３】本発明に係る二酸化塩素発生剤収納体のさらに他の実施形態を示す模式的平面図である。
【発明を実施するための形態】
【００１９】
本発明に係る二酸化塩素発生剤収納体１の一実施形態（第１実施形態）を図１に示す。この二酸化塩素発生剤収納体１は、内部に二酸化塩素発生剤２が密封状態に収容された第１収容体１１と、内部に第１着色部材２１、第２着色部材２２および第３着色部材２３が密封状態に収容された第２収容体１２と、からなる。第１収容体１１と第２収容体１２とは、互いに接合（連接）されることなく、独立した状態にある（図１参照）。
【００２０】
前記第１収容体１１は、樹脂製袋体からなり、矩形状の樹脂製袋体の一辺の開口部から二酸化塩素発生剤２を含有した通気性カートリッジ３が収容され、該開口部が封止されて、この第１収容体１１の内部に二酸化塩素発生剤含有カートリッジ３が密封状態に収容されている。図１において、１６は、開口部が封止されたシール部である。
【００２１】
前記第２収容体１２は、樹脂製袋体からなり、矩形状の樹脂製袋体の一辺の開口部から、シート状の第１着色部材２１、シート状の第２着色部材２２およびシート状の第３着色部材２３が貼着された台紙２４が収容されて、前記開口部が封止されて、この第２収容体１２の内部に第１着色部材２１、第２着色部材２２および第３着色部材２３が密封状態に収容されている。図１において、１７は、開口部が封止されたシール部である。
【００２２】
前記第１着色部材２１は、使用終了時期報知用の着色部材である。前記第１着色部材２１は、使用終了時期に色変化する。即ち、前記第１着色部材２１は、使用の終了時期を色変化により報知する。前記第１着色部材２１としては、発生する二酸化塩素と長期にわたり接触すると共に使用する二酸化塩素発生剤（第１収容体１１から取り出して使用している二酸化塩素発生剤）中の亜塩素酸塩の残量が少なくなったときに初めて色変化を生じるものを使用するのが好ましい。このような第１着色部材２１としては、特に限定されるものではないが、例えば、コクヨ株式会社製の黄緑色付箋紙が挙げられ、二酸化塩素と長期にわたり接触したときに（亜塩素酸塩の残量が少なくなったときに）白色に変色する。前記黄緑色付箋紙において黄緑色付与のための顔料としてはプラセオジウム黄およびプラセオジウム青が使用されている。
【００２３】
前記第２着色部材２２は、二酸化塩素の初期発生検知用の着色部材である。前記第２着色部材２２は、二酸化塩素の初期発生により色変化する。即ち、前記第２着色部材２２は、二酸化塩素の初期発生を色変化により報知する。前記第２着色部材２２としては、二酸化塩素の発生が始まった際に、少量の二酸化塩素との接触により速やかに色変化を生じるものを使用するのが好ましい。前記第２着色部材２２としては、使用する二酸化塩素発生剤（第１収容体１１から取り出した二酸化塩素発生剤）から二酸化塩素が発生してから２日以内に色変化を生じるものであるのが好ましく、中でも二酸化塩素が発生してから１２時間以内に色変化を生じるものであるのがより好ましい。このような第１着色部材２１としては、特に限定されるものではないが、例えば、コクヨ株式会社製の赤色付箋紙が挙げられ、この赤色付箋紙は、少量の二酸化塩素との接触により速やかに白色に変色する。前記赤色付箋紙において赤色付与のための顔料としては鉛丹が使用されている。
【００２４】
前記第３着色部材２３は、二酸化塩素の異常発生検知用（多量発生検知用）の着色部材である。前記第３着色部材２３は、二酸化塩素の多量発生により色変化する。即ち、前記第３着色部材２３は、二酸化塩素の多量発生を色変化により報知する。前記第３着色部材２３としては、仮に二酸化塩素が一度に多量に発生するような事態が生じた場合にこのような短時間で多量の二酸化塩素と接触することによって初めて色変化を生じるものを使用するのが好ましい。このような第３着色部材２３としては、特に限定されるものではないが、例えば、コクヨ株式会社製の青色付箋紙が挙げられ、この青色付箋紙は、短時間で多量の二酸化塩素と接触することにより初めて白色に変色する。前記青色付箋紙において青色付与のための顔料としてはウルトラマリンが使用されている。
【００２５】
前記第１〜３着色部材２１、２２、２３としては、白色部材も含む。また、前記第１〜３着色部材２１、２２、２３としては、例えば、白色への色変化を生じるものであってもよい。前記第１〜３着色部材２１、２２、２３としては、それぞれ上記所定の状況になった際に色変化を生じるものであれば特に限定されずどのようなものでも使用できる。
【００２６】
前記二酸化塩素発生剤収納体１について使用を開始する（二酸化塩素の発生を開始させる）際には、前記第１収容体１１および前記第２収容体１２をそれぞれ開封して、第１収容体１１から取り出した二酸化塩素発生剤含有カートリッジ３と、第２収容体１２から取り出した第１〜３着色部材貼着台紙２４とを、例えば、人の胸の前等に首からぶら下げて携行するためのケース（一部が開放されていて空気の出入りが可能なもの）内に入れて、これを首からぶら下げて携行する。前記ケースに透明部を設けておいてこの透明部から前記第１〜３着色部材２１、２２、２３を視認できるように配置するのが好ましい。
【００２７】
二酸化塩素の発生が始まると、発生した二酸化塩素が、前記初期発生検知用の第２着色部材２２と接触することにより、この第２着色部材２２が速やかに色変化を生じるので、使用者はこの第２着色部材２２の色が変化したことを視認することにより、二酸化塩素の発生が開始したことを確認できる。
【００２８】
そして、長期の使用を継続することにより、二酸化塩素発生剤中の亜塩素酸塩の残量が少なくなってくるに伴い、それまでの継続した長期の二酸化塩素との接触により前記使用終了時期報知用の第１着色部材２１が色変化を生じはじめ、さらに亜塩素酸塩の残量が少なくなると（さらに二酸化塩素と接触することで）、第１着色部材２１が明確な色変化を生じるので、使用者はこの第１着色部材２１の色が変化したことを視認することにより、交換時期（使用の終了時期）を知ることができる。
【００２９】
また、仮に、二酸化塩素が一度に多量に発生するような異常が生じた場合には、短時間に多量の二酸化塩素と接触することで前記異常発生検知用の第３着色部材２３が色変化を生じるので、使用者はこの第３着色部材２３の色変化を視認することにより、二酸化塩素の異常発生（多量発生）を知ることができる。
【００３０】
本発明に係る二酸化塩素発生剤収納体１の他の実施形態（第２実施形態）を図２に示す。この二酸化塩素発生剤収納体１は、内部に二酸化塩素発生剤２が密封状態に収容された第１収容体１１と、内部に第１着色部材２１、第２着色部材２２および第３着色部材２３が密封状態に収容された第２収容体１２と、からなる。前記第１収容体１１の縁部と前記第２収容体１２の縁部が連接されており、前記第１収容体１１の内部空間と前記第２収容体１２の内部空間が互いに独立した状態にある（図２参照）。
【００３１】
この第２実施形態では、前記第１収容体１１は、樹脂シート（樹脂フィルム含む）等からなる台座シート３１の左半体部３１Ａと、樹脂シート（樹脂フィルム含む）等からなる第１包装シート３２と、からなり、前記第１包装シート３２の周縁部が前記台座シート３１の左半体部３１Ａにヒートシール等により接合されることによって、台座シート３１の左半体部３１Ａと第１包装シート３２との間に、二酸化塩素発生剤２を含有した通気性カートリッジ３が密封状態に収容された第１収容体１１が構成されている（図２参照）。図２において、３７は、第１収容体１１における枠状の周縁シール部である。また、前記第２収容体１２は、樹脂シート（樹脂フィルム含む）等からなる台座シート３１の右半体部３１Ｂと、樹脂シート（樹脂フィルム含む）等からなる第２包装シート３３と、からなり、前記第２包装シート３３の周縁部が前記台座シート３１の右半体部３１Ｂにヒートシール等により接合されることによって、台座シート３１の右半体部３１Ｂと第２包装シート３３との間に、シート状の第１着色部材２１、シート状の第２着色部材２２およびシート状の第３着色部材２３が貼着された台紙２４が密封状態に収容された第２収容体１２が構成されている（図２参照）。図２において、３８は、第２収容体１２における枠状の周縁シール部である。上記第１着色部材２１、第２着色部材２２および第３着色部材２３として、それぞれ、上記第１実施形態で説明したものと同様のものを使用する。
【００３２】
前記第２実施形態のものについて使用を開始する（二酸化塩素の発生を開始させる）際には、第１包装シート３２を台座シート３１の左半体部３１Ａから剥離させることにより第１収容体１１を開封すると共に、第２包装シート３３を台座シート３１の右半体部３１Ｂから剥離させることにより第２収容体１２を開封し、第１収容体１１から取り出した二酸化塩素発生剤含有カートリッジ３と、第２収容体１２から取り出した第１〜３着色部材貼着台紙２４とを、例えば、人の胸の前等に首からぶら下げて携行するためのケース（一部が開放されていて空気の出入りが可能なもの）内に入れて、これを首からぶら下げて携行する。前記ケースに透明部を設けておいてこの透明部から前記第１〜３着色部材２１、２２、２３を視認できるように配置するのが好ましい。
【００３３】
この第２実施形態のものにおいても、第１実施形態の場合と同様に、二酸化塩素の発生が始まると、使用者は第２着色部材２２の色変化を視認することにより、二酸化塩素の発生が開始したことを確認できる。そして、長期の使用を継続することにより、二酸化塩素発生剤中の亜塩素酸塩の残量が少なくなってきたときに、使用者は第１着色部材２１の色変化を視認することにより、交換時期（使用の終了時期）を確認することができる。また、仮に二酸化塩素が一度に多量に発生するような事態が生じた場合、使用者は第３着色部材２３の色変化を視認することにより、二酸化塩素の異常な多量発生を知ることができる。
【００３４】
本発明に係る二酸化塩素発生剤収納体１の更に他の実施形態（第３実施形態）を図３に示す。この二酸化塩素発生剤収納体１は、内部に二酸化塩素発生剤２が密封状態に収容された第１収容体１１と、内部に第１着色部材２１、第２着色部材２２および第３着色部材２３が密封状態に収容された第２収容体１２と、からなる。前記第１収容体１１の縁部と前記第２収容体１２の縁部が連接されており、前記第１収容体１１の内部空間と前記第２収容体１２の内部空間が互いに独立した状態にある（図３参照）。
【００３５】
この第３実施形態では、前記第１収容体１１は、樹脂シート（樹脂フィルム含む）等からなる台座シート３１の左半体部３１Ａと、樹脂シート（樹脂フィルム含む）等からなる包装シート３６の左半体部３６Ａと、からなり、前記包装シート３６の左半体部３６Ａの周縁部が前記台座シート３１の左半体部３１Ａにヒートシール等により接合されることによって、台座シート３１の左半体部３１Ａと包装シート３６の左半体部３６Ａとの間に、二酸化塩素発生剤２を含有した通気性カートリッジ３が密封状態に収容された第１収容体１１が構成されている（図３参照）。図３において、３７は、第１収容体１１における枠状の周縁シール部である。また、前記第２収容体１２は、樹脂シート（樹脂フィルム含む）等からなる台座シート３１の右半体部３１Ｂと、樹脂シート（樹脂フィルム含む）等からなる包装シート３６の右半体部３６Ｂと、からなり、前記包装シート３６の右半体部３６Ｂの周縁部が前記台座シート３１の右半体部３１Ｂにヒートシール等により接合されることによって、台座シート３１の右半体部３１Ｂと前記包装シート３６の右半体部３６Ｂとの間に、シート状の第１着色部材２１、シート状の第２着色部材２２およびシート状の第３着色部材２３が貼着された台紙２４が密封状態に収容された第２収容体１２が構成されている（図３参照）。図３において、３８は、第２収容体１２における枠状の周縁シール部である。そして、第１収容体１１の内部空間と、第２収容体１２の内部空間とが、相互間にある仕切りシール部３９によって互いに独立した状態にある（互いに連通していない状態にある）。上記第１着色部材２１、第２着色部材２２および第３着色部材２３として、それぞれ、上記第１実施形態で説明したものと同様のものを使用する。
【００３６】
前記第３実施形態のものについて使用を開始する（二酸化塩素の発生を開始させる）際には、前記包装シート３６を台座シート３１から一気に剥離させる（開封する）ことにより、前記第１収容体１１および前記第２収容体１２を同時に開封し、第１収容体１１から取り出した二酸化塩素発生剤含有カートリッジ３と、第２収容体１２から取り出した第１〜３着色部材貼着台紙２４とを、例えば、人の胸の前等に首からぶら下げて携行するためのケース（一部が開放されていて空気の出入りが可能なもの）内に入れて、これを首からぶら下げて携行する。前記ケースに透明部を設けておいてこの透明部から前記第１〜３着色部材２１、２２、２３を視認できるように配置するのが好ましい。
【００３７】
この第３実施形態のものにおいても、第１実施形態の場合と同様に、二酸化塩素の発生が始まると、使用者は第２着色部材２２の色変化を視認することにより、二酸化塩素の発生が開始したことを確認できる。そして、長期の使用を継続することにより、二酸化塩素発生剤中の亜塩素酸塩の残量が少なくなってきたときに、使用者は第１着色部材２１の色変化を視認することにより、交換時期（使用の終了時期）を確認することができる。また、仮に二酸化塩素が一度に多量に発生するような事態が生じた場合には、使用者は第３着色部材２３の色変化を視認することにより、二酸化塩素の異常発生を知ることができる。
【００３８】
更に、この第３実施形態では、包装シート３６を台座シート３１から一気に剥離させる（離脱させる）ことにより、第１収容体１１および第２収容体１２を同時に開封できるので、使用開始時の作業効率を向上できる利点がある。
【００３９】
本発明において、二酸化塩素発生剤としては、特に限定されるものではないが、亜塩素酸塩と、炭酸金属塩と、を含有する二酸化塩素発生剤が挙げられ、この構成によれば、亜塩素酸塩とともに炭酸金属塩を含有することで、亜塩素酸塩の単位質量当たりの二酸化塩素ガス発生量を増大させることができる。勿論、前記二酸化塩素発生剤としては、従来公知の二酸化塩素発生剤（例えば、亜塩素酸塩と、塩素化イソシアヌル酸と、を含有する二酸化塩素発生剤など）を使用してもよい。
【００４０】
前記亜塩素酸塩としては、特に限定されるものではないが、例えば、亜塩素酸ナトリウム、亜塩素酸カリウム、亜塩素酸カルシウム、亜塩素酸マグネシウム、亜塩素酸バリウム等の亜塩素酸金属塩などが挙げられる。中でも、二酸化塩素ガス発生量を長期間にわたってより安定化できると共に、反応後には無害な炭酸ナトリウムに変化する点で、亜塩素酸ナトリウムを用いるのが好ましい。
【００４１】
前記亜塩素酸塩としては、特に限定されるものではないが、多孔質担体に担持された亜塩素酸塩（多孔質担体担持亜塩素酸塩）を用いるのが好ましい。前記多孔質担体としては、特に限定されるものではないが、例えば、ゼオライト、セピオライト、シリカゲル、珪藻土等が挙げられる。
【００４２】
前記炭酸金属塩としては、特に限定されるものではないが、例えば、炭酸カルシウム、炭酸ナトリウム、炭酸カリウム、炭酸マグネシウム等が挙げられる。中でも、二酸化塩素ガス発生反応を促進できると共に、反応後には無害な塩化カルシウムに変化する点で、炭酸カルシウムを用いるのが好ましい。
【００４３】
上述した亜塩素酸塩と、炭酸金属塩と、を含有する二酸化塩素発生剤を使用する場合には、前記亜塩素酸塩１００質量部あたり前記炭酸金属塩を２質量部〜１８質量部含有する構成とするのが好ましい。２質量部以上とすることで亜塩素酸塩の単位質量当たりの二酸化塩素ガス発生量をより増大できるし、１８質量部を超えても二酸化塩素ガス発生量の更なる増大は殆どなく徒に重量増、コスト増大を招来するので１８質量部以下に設定するのが好ましい。中でも、前記亜塩素酸塩１００質量部あたり前記炭酸金属塩を４質量部〜１６質量部含有する構成とするのがより好ましく、さらには６質量部〜１４質量部含有する構成とするのが特に好ましい。
【００４４】
前記亜塩素酸塩の平均粒子径は、特に限定されないものの、０．２μｍ〜２０μｍの範囲であるのが好ましく、中でも１μｍ〜５μｍの範囲が特に好ましい。また、前記炭酸金属塩の平均粒子径は、特に限定されないものの、１０ｎｍ〜５００ｎｍの範囲であるのが好ましく、中でも５０ｎｍ〜１００ｎｍの範囲が特に好ましい。
【００４５】
本発明において、第１着色部材２１の色（色変化する前の最初の色）、第２着色部材２２の色（色変化する前の最初の色）、第３着色部材２３の色（色変化する前の最初の色）は、互いに異なっているのが好ましく、この場合には使用者の視認作業がし易くなる利点がある。
【実施例】
【００４６】
次に、本発明の具体的実施例について説明するが、本発明はこれら実施例のものに特に限定されるものではない。
【００４７】
＜実施例１＞
亜塩素酸ナトリウム（ＮａＣｌＯ2）５ｇ及び炭酸カルシウム（ＣａＣＯ3）０．５ｇを混合して二酸化塩素発生剤を得た。この二酸化塩素発生剤を用いて前記第３実施形態の二酸化塩素発生剤収納体１を２個作製した（図３参照）。なお、袋内部が真空の状態で前記二酸化塩素発生剤を第１収容体１１の内部に収納した。真空状態の第１収容体１１内に二酸化塩素発生剤が収容されているので、反応しない状態で長期にわたって保存できる。また、内部が真空の状態で第１〜３着色部材貼着台紙２４を第２収容体１２の内部に収納した。また、使用終了時期報知用の第１着色部材２１としてコクヨ株式会社製の黄緑色付箋紙を用い、二酸化塩素の初期発生検知用の第２着色部材２２としてコクヨ株式会社製の赤色付箋紙を用い、二酸化塩素の異常発生検知用の第３着色部材２３としてコクヨ株式会社製の青色付箋紙を用いた。
【００４８】
次に、使用を開始するべく、２個のうちの一方の二酸化塩素発生剤収納体１について包装シート３６を台座シート３１から一気に剥離させることにより、第１収容体１１および第２収容体１２を同時に開封して、第１収容体１１から取り出した二酸化塩素発生剤含有カートリッジ３と、第２収容体１２から取り出した第１〜３着色部材貼着台紙２４とを、人の胸の前に首からぶら下げて携行するための携行ケース（一部が開放されていて空気の出入りが可能なもの）内に入れて、これを首からぶら下げて携行使用した。なお、前記二酸化塩素発生剤が空気と接触することにより二酸化塩素の発生が開始される。
【００４９】
その結果、使用を開始してから（二酸化塩素の発生が始まってから）約１日経過後に第２着色部材が当初の赤色から薄赤色に変色したので、二酸化塩素の発生が開始したことを確認できた。使用を開始して正常に二酸化塩素の発生が生じた際の１日経過後の第２着色部材の変色した色（薄赤色）をその判断の指標（色見本）として台座シート３１の裏面に印刷してあるので、その色見本と比較して同じ色（薄赤色）になっているのを確認することによって、二酸化塩素の発生が開始したことを確認できた。なお、第２着色部材は、当初の赤色から、二酸化塩素の発生の継続に伴って徐々に赤色が薄れていき、二酸化塩素の発生が約１４日間続いたときに白色に変色した。徐々に赤色が薄れていくことで二酸化塩素が継続して発生していることも確認できる。
【００５０】
また、使用を開始してから（二酸化塩素の発生が始まってから）約３０日間経過して二酸化塩素発生剤中の亜塩素酸ナトリウムの残量が少なくなってきたときに、第１着色部材が当初の黄緑色から白色に変色したので、このような色変化により交換時期（使用の終了時期）を知ることができた。
【００５１】
一方、前記２個のうちの他方の二酸化塩素発生剤収納体１について包装シート３６を台座シート３１から一気に剥離させることにより、第１収容体１１および第２収容体１２を同時に開封して、第１収容体１１から取り出した二酸化塩素発生剤含有カートリッジ３と、第２収容体１２から取り出した第１〜３着色部材貼着台紙２４とを、人の胸の前に首からぶら下げて携行するための携行ケース（一部が開放されていて空気の出入りが可能なもの）内に入れた。しかる後、二酸化塩素の初期発生量（初期濃度）の約５倍の多量の二酸化塩素を故意に第３着色部材に吹き付けたところ、第３着色部材が当初の青色から白色に変色したことから、二酸化塩素が異常量（多量）発生していることを検知することができた。
【産業上の利用可能性】
【００５２】
本発明に係る二酸化塩素発生剤収納体は、特に限定されるものではないが、例えば、人の胸の前等に首からぶら下げて使用する携行タイプとして使用できる他、部屋空間全体の除菌等を行うために部屋に置く据置タイプ等としても使用できる。
【符号の説明】
【００５３】
１…二酸化塩素発生剤収納体
２…二酸化塩素発生剤
３…カートリッジ
１１…第１収容体
１２…第２収容体
２１…第１着色部材（使用終了時期報知用）
２２…第２着色部材（初期発生検知用）
２３…第３着色部材（異常発生検知用）
【図１】
2018035016.tif 000003
【図２】
2018035016.tif 000004
【図３】
2018035016.tif 000005